(57)【要約】      （修正有）【課題】脈波の検出に係る消費電力の低減を図ることが可能な、制御装置、検出装置、および制御方法を提供する。【解決手段】光源からの距離が異なる複数の受光素子それぞれから受光に応じて出力される信号に対応する、複数の検出値に基づいて、光源および複数の受光素子を備え、脈波を検出する検出装置の装着状態を判定する判定部１２０と、装着状態の判定結果に基づいて、検出装置１００の脈波の検出に関する動作を制御する動作制御部１２２と、を含む、制御装置を備える。【選択図】図３
2017209413.tif 000002
【特許請求の範囲】
【請求項１】
光源からの距離が異なる複数の受光素子それぞれから受光に応じて出力される信号に対応する、複数の検出値に基づいて、前記光源および複数の前記受光素子を備え、脈波を検出する検出装置の装着状態を判定する判定部と、
前記装着状態の判定結果に基づいて、前記検出装置の脈波の検出に関する動作を制御する動作制御部と、
を備える、制御装置。
【請求項２】
前記動作制御部は、前記装着状態の判定結果に基づいて、前記検出装置が備える前記光源の発光を制御する、請求項１に記載の制御装置。
【請求項３】
前記動作制御部は、判定された前記装着状態が、前記検出装置が装着されている状態である場合と、前記検出装置が装着されていない状態である場合とで、前記光源の発光頻度を変えさせる、請求項２に記載の制御装置。
【請求項４】
前記動作制御部は、前記装着状態の判定結果に基づいて、前記検出装置が備える脈波の検出に係る回路への電力の供給を制御する、請求項１に記載の制御装置。
【請求項５】
前記脈波の検出に係る回路は、前記検出値の取得に係る回路を含む、請求項４に記載の制御装置。
【請求項６】
前記検出値の取得に係る回路は、前記光源の発光を制御する発光制御回路を含む、請求項５に記載の制御装置。
【請求項７】
前記検出値の取得に係る回路は、複数の前記受光素子それぞれから出力される前記信号から、前記検出値を算出する測定回路を含む、請求項５に記載の制御装置。
【請求項８】
前記検出値の取得に係る回路は、複数の前記受光素子それぞれから出力される前記信号を増幅する増幅回路を含む、請求項５に記載の制御装置。
【請求項９】
前記脈波の検出に係る回路は、複数の前記検出値に基づいて脈波を検出する脈波検出回路を含む、請求項４に記載の制御装置。
【請求項１０】
前記判定部は、
前記光源からの距離が異なる、少なくとも２つ以上の前記受光素子それぞれに対応する、複数の前記検出値に基づいて、前記装着状態を判定するための判定値を算出し、
算出された前記判定値と所定の閾値とを比較することによって、前記装着状態を判定する、請求項１に記載の制御装置。
【請求項１１】
光源を有する発光部と、
前記光源からの距離が異なる複数の受光素子を有する受光部と、
複数の受光素子それぞれから受光に応じて出力される信号に対応する、複数の検出値に基づいて、脈波を検出する脈波検出部と、
複数の前記検出値に基づいて、装着状態を判定する判定部と、
前記装着状態の判定結果に基づいて、脈波の検出に関する動作を制御する動作制御部と、
を備える、検出装置。
【請求項１２】
光源からの距離が異なる複数の受光素子それぞれから受光に応じて出力される信号に対応する、複数の検出値に基づいて、前記光源および複数の前記受光素子を備え、脈波を検出する検出装置の装着状態を判定するステップと、
前記装着状態の判定結果に基づいて、前記検出装置の脈波の検出に関する動作を制御するステップと、
を有する、制御装置により実行される制御方法。
【発明の詳細な説明】
【技術分野】
【０００１】
本開示は、制御装置、検出装置、および制御方法に関する。
【背景技術】
【０００２】
運動状態の判定結果などに応じて消費電力を低減する拍動検出装置に係る技術が開発されている。上記拍動検出装置に係る技術としては、例えば下記の特許文献１に記載の技術が挙げられる。
【先行技術文献】
【特許文献】
【０００３】
【特許文献１】特開２０１３−２０２２８９号公報
【発明の概要】
【発明が解決しようとする課題】
【０００４】
心拍に関連する信号を検出することが可能なセンサとしては、光電容量脈波（以下、「ＰＰＧ」（Photoplethysmography）と示す場合がある。）という方式を用いて、光学的に脈波を検出する脈波センサが挙げられる。脈波とは、生体の心臓が拍動することに伴い発生する血管の容積変化である。
【０００５】
脈波センサは、ＬＥＤ（Light-Emitting  Diode）などの光源から検出対象である生体に対して光を照射し、フォトダイオード（以下、「ＰＤ」（Photo  Detector）と示す。）などの受光素子により生体から反射される光の強度を示す信号を得ることによって、生体の脈波を検出する。上記のように、ＰＰＧを用いて脈波を検出するためには光源の光が必要であるので、ＰＰＧを用いて脈波が検出される場合には、消費電力が大きくなる傾向がある。
【０００６】
例えば特許文献１に記載の技術が用いられる装置は、運動状態の判定結果などに応じて脈波センサのセンシングの頻度を変更する。よって、例えば特許文献１に記載の技術のように脈波センサのセンシングの頻度を変更することによって、消費電力を低減することができる可能性はある。
【０００７】
ここで、脈波センサを備える装置を腕などに身に付けている使用者、すなわち脈波センサの検出対象である人体が動いた場合には、当該使用者の動きに起因して、脈波センサが、例えば迷光（例えば、外光や人体の表皮にて反射された反射光など、検出対象の光以外の光。以下、同様とする。）の影響を受ける恐れがある。しかしながら、例えば特許文献１に記載の技術のように脈波センサのセンシングの頻度を変更したとしても、上記のような迷光の影響を低減することはできない。よって、例えば特許文献１に記載の技術を用いたとしても、脈波を安定的に検出することができるとは限らない。
【０００８】
本開示では、脈波の検出に係る消費電力の低減を図ることが可能な、新規かつ改良された制御装置、検出装置、および制御方法を提案する。
【課題を解決するための手段】
【０００９】
本開示によれば、光源からの距離が異なる複数の受光素子それぞれから受光に応じて出力される信号に対応する、複数の検出値に基づいて、上記光源および複数の上記受光素子を備え、脈波を検出する検出装置の装着状態を判定する判定部と、上記装着状態の判定結果に基づいて、上記検出装置の脈波の検出に関する動作を制御する動作制御部と、を備える、制御装置が、提供される。
【００１０】
また、本開示によれば、光源を有する発光部と、上記光源からの距離が異なる複数の受光素子を有する受光部と、複数の受光素子それぞれから受光に応じて出力される信号に対応する、複数の検出値に基づいて、脈波を検出する脈波検出部と、複数の上記検出値に基づいて、装着状態を判定する判定部と、上記装着状態の判定結果に基づいて、脈波の検出に関する動作を制御する動作制御部と、を備える、検出装置が、提供される。
【００１１】
また、本開示によれば、光源からの距離が異なる複数の受光素子それぞれから受光に応じて出力される信号に対応する、複数の検出値に基づいて、上記光源および複数の上記受光素子を備え、脈波を検出する検出装置の装着状態を判定するステップと、上記装着状態の判定結果に基づいて、上記検出装置の脈波の検出に関する動作を制御するステップと、を有する、制御装置により実行される制御方法が、提供される。
【発明の効果】
【００１２】
本開示によれば、脈波の検出に係る消費電力の低減を図ることができる。
【００１３】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１４】
【図１】本実施形態に係る脈波の検出に係る構成の一例を示す説明図である。
【図２】本実施形態に係る脈波の検出に係る構成を利用した装着状態の判定の原理を説明するための説明図である。
【図３】本実施形態に係る検出装置の構成の一例を説明するためのブロック図である。
【図４】本実施形態に係る所定の閾値の一例を説明するための説明図である。
【図５】本実施形態に係る制御方法に係る処理の一例を示す流れ図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、以下では、下記に示す順序で説明を行う。
１．本実施形態に係る制御方法
２．本実施形態に係る検出装置、制御装置
３．本実施形態に係るプログラム
【００１７】
（本実施形態に係る制御方法）
まず、本実施形態に係る制御方法について説明する。以下では、本実施形態に係る制御方法に係る処理を、本実施形態に係る制御装置が行う場合を主に例に挙げる。
【００１８】
なお、後述するように、本実施形態に係る制御装置は、本実施形態に係る検出装置として機能することも可能である。つまり、本実施形態に係る制御方法に係る処理は、本実施形態に係る検出装置により行われてもよい。
【００１９】
本実施形態に係る制御方法に係る処理を行うことが可能な、本実施形態に係る検出装置の構成の一例、および本実施形態に係る制御装置の構成の一例については、後述する。
【００２０】
［１］本実施形態に係る制御方法の概要
上述したように、ＰＰＧを用いて脈波を検出するためには光源の光が必要であるので、ＰＰＧを用いて脈波が検出される場合には、消費電力が大きくなる傾向がある。
【００２１】
ここで、ＰＰＧを用いて脈波を検出する装置（脈波センサを備える装置。以下、「検出装置」と示す。）において、脈波の検出に消費される消費電力の大部分は、光源の消費電力である。そのため、検出装置において消費電力の低減を図る一の方法としては、例えば、“脈波の検出対象の生体（例えば、人や、人以外の任意の動物など）に対する検出装置の装着状態を判定し、装着状態に応じて光源を選択的に発光させる方法”が、考えられる。
【００２２】
上記一の方法が用いられる場合、検出装置は、検出装置が生体に装着されていると判定された場合に、光源を発光させて脈波を検出する。また、上記一の方法が用いられる場合、検出装置は、検出装置が生体に装着されていると判定されない場合には、光源を発光させず、脈波を検出しない。
【００２３】
検出装置が生体に装着されていると判定されない場合には、光源を発光させたとしても、検出対象の生体から反射される光の強度を示す信号を得ることができない可能性、すなわち、脈波を検出することができない可能性が、高い。そのため、上記一の方法が用いられる場合、脈波を検出することができない可能性が高いときには光源を発光させないので、検出装置における消費電力の低減を図ることができうる。
【００２４】
ここで、検出装置における装着状態を判定する方法としては、例えば下記に示すような検出装置への生体の接触を検出するためのセンサを検出装置に設け、検出装置への生体の接触を検出する方法が、挙げられる。
・赤外線センサ（赤外線を照射し、反射光の強度により接触の有無を判定するセンサ）
・装着されたときに生体が接触する接触面に、対に配置された電極を有するセンサ（人体などの生体が電流を通すことを利用し、抵抗値により接触の有無を判定するセンサ）
【００２５】
しかしながら、上記のような、赤外線センサなどの検出装置への生体の接触を検出するためのセンサを検出装置に設ける場合には、当該センサに係る部品の追加に伴い、検出装置のコストが増加する恐れがあり、また、検出装置のサイズが大きくなる恐れがある。
【００２６】
また、赤外線センサなどの検出装置への生体の接触を検出するためのセンサを検出装置に設ける場合には、例えば、太陽光などの外部光源による誤検出（上記赤外線センサの場合）や、水濡れによる導通による誤検出（上記接触面に対に配置された電極を有するセンサの場合）など、検出装置の装着状態の誤検出が、発生する可能性がある。
【００２７】
よって、上記のような“検出装置への生体の接触を検出するためのセンサを検出装置に設けることにより、検出装置における装着状態を判定する方法”を用いたとしても、検出装置における装着状態を判定することができるとは限られない。そのため、“検出装置への生体の接触を検出するためのセンサを検出装置に設けることにより、検出装置における装着状態を判定する方法”を用いたとしても、検出装置における消費電力の低減を図ることができるとは、限らない。
【００２８】
そこで、本実施形態に係る制御装置は、上記のような“検出装置への生体の接触を検出するためのセンサを検出装置に設けることにより、検出装置における装着状態を判定する方法”とは異なる方法によって、検出装置の装着状態を判定する。
【００２９】
ここで、本実施形態に係る制御装置が判定する検出装置の装着状態としては、検出装置が装着されている状態と、検出装置が装着されていない状態とが、挙げられる。
【００３０】
本実施形態に係る検出装置が装着されている状態とは、例えば、検出装置と脈波の検出対象である生体との位置関係が、ＰＰＧを用いて脈波を検出することが可能な位置関係にあることをいう。ＰＰＧを用いて脈波を検出することが可能な位置関係としては、例えば、“検出装置において光源と受光素子とが設けられる脈波の測定部分が、脈波の検出対象である生体の組織に接触している位置関係”が、挙げられる。
【００３１】
また、本実施形態に係る検出装置が装着されていない状態とは、例えば、検出装置と脈波の検出対象である生体との位置関係が、ＰＰＧを用いて脈波を検出することが可能ではない位置関係にあることをいう。ＰＰＧを用いて脈波を検出することが可能ではない位置関係としては、例えば、“検出装置において光源と受光素子とが設けられる脈波の測定部分が、脈波の検出対象である生体の組織に接触していない位置関係”が、挙げられる。
【００３２】
本実施形態に係る制御装置は、赤外線センサなどの検出装置への生体の接触を検出するためのセンサを設けるのではなく、脈波の検出に係る構成を利用して、検出装置の装着状態を判定する。本実施形態に係る脈波の検出に係る構成を利用した装着状態の判定については、後述する。
【００３３】
そして、本実施形態に係る制御装置は、装着状態の判定結果に基づいて、検出装置の脈波の検出に関する動作を制御する。
【００３４】
ここで、本実施形態に係る制御装置が装着状態を判定して動作を制御する、制御対象の検出装置（以下、「制御対象の検出装置」と示す。）は、本実施形態に係る制御装置であってもよいし、本実施形態に係る制御装置の外部装置であってもよい。制御対象の検出装置が、本実施形態に係る制御装置である場合、制御対象の検出装置である本実施形態に係る制御装置は、本実施形態に係る検出装置として機能する。以下では、制御対象の検出装置が、本実施形態に係る制御装置である場合を主に例に挙げる。
【００３５】
また、本実施形態に係る検出装置における脈波の検出に関する動作の制御としては、例えば、下記の（Ａ）に示す“光源の発光制御”と、下記の（Ｂ）に示す“検出装置が備える脈波の検出に係る回路への電力の供給の制御”との一方または双方が、挙げられる。なお、本実施形態に係る脈波の検出に関する動作の制御は、下記の（Ａ）、（Ｂ）に示す例に限られず、本実施形態に係る制御装置は、脈波の検出に関する任意の動作を制御することが、可能である。
【００３６】
（Ａ）光源の発光制御
本実施形態に係る制御装置は、判定された装着状態が検出装置が装着されている状態であるときと、判定された装着状態が検出装置が装着されていない状態であるときとで、光源の発光頻度を変えさせる。
【００３７】
より具体的には、本実施形態に係る制御装置は、例えば、判定された装着状態が検出装置が装着されていない状態である場合における光源の発光頻度が、判定された装着状態が検出装置が装着されている状態である場合における光源の発光頻度よりも、少なくなるように、光源の発光を制御する。光源の発光頻度は、例えば、光源を発光させてから次に発光させるまでの待機時間を制御することによって、変えることが可能である。
【００３８】
本実施形態に係る制御装置が、上記のように装着状態の判定結果に基づいて光源の発光頻度を変えさせることによって、検出装置が装着されていない状態において検出装置の光源で消費される消費電力を、検出装置が装着されている状態において検出装置の光源で消費される消費電力よりも、少なくすることができる。よって、本実施形態に係る制御装置が、上記のように装着状態の判定結果に基づいて光源の発光頻度を変えさせることによって、検出装置が装着されていない状態における脈波の検出に係る消費電力を、検出装置が装着されている状態における脈波の検出に係る消費電力よりも、少なくすることができる。
【００３９】
装着状態の判定結果に基づく光源の発光制御の具体例については、後述する。
【００４０】
（Ｂ）検出装置が備える脈波の検出に係る回路への電力の供給の制御
本実施形態に係る制御装置は、装着状態の判定結果に基づいて、検出装置が備える脈波の検出に係る回路への電力の供給を制御する。
【００４１】
本実施形態に係る脈波の検出に係る回路は、例えば、ＰＰＧを用いて脈波を検出するために用いられる回路である。本実施形態に係る脈波の検出に係る回路には、例えば、脈波の検出に用いられる検出値（後述する）の取得に係る回路（以下、「検出値の取得に係る回路」と示す。）と、検出値（後述する）に基づいて脈波を検出する回路（以下、「脈波検出回路」と示す。）とが、含まれる。本実施形態に係る脈波の検出に係る回路の具体例については、後述する。
【００４２】
より具体的には、本実施形態に係る制御装置は、例えば、判定された装着状態が、検出装置が装着されていない状態である場合には、脈波の検出に係る回路へと電力を供給させないように制御する。つまり、判定された装着状態が、検出装置が装着されていない状態である場合、検出装置が備える脈波の検出に係る回路の動作は停止され、脈波の検出に係る回路では電力が消費されない。
【００４３】
また、本実施形態に係る制御装置は、例えば、判定された装着状態が、検出装置が装着されている状態である場合には、脈波の検出に係る回路へと電力を供給させるように制御する。
【００４４】
本実施形態に係る制御装置は、例えば、検出装置が備えるスイッチング回路（後述する）を制御することによって、脈波の検出に係る回路への電力の供給を制御する。
【００４５】
本実施形態に係る制御装置が、上記のように、装着状態の判定結果に基づいて検出装置が備える脈波の検出に係る回路への電力の供給を制御することによって、検出装置が装着されていない状態における脈波の検出に係る消費電力を、検出装置が装着されている状態における脈波の検出に係る消費電力よりも、少なくすることができる。
【００４６】
本実施形態に係る制御装置は、例えば上記（Ａ）、上記（Ｂ）に示すように、検出装置の装着状態の判定結果に基づいて検出装置の動作を制御する。
【００４７】
ここで、装着状態の判定結果に基づいて検出装置の動作が制御されることによって、検出装置が装着されていない状態における脈波の検出に係る消費電力を、検出装置が装着されている状態における脈波の検出に係る消費電力よりも、少なくすることができる。
【００４８】
したがって、本実施形態に係る制御装置は、本実施形態に係る制御方法に係る処理を行うことによって、脈波の検出に係る消費電力の低減を図ることができる。
【００４９】
［２］本実施形態に係る制御方法に係る処理
次に、本実施形態に係る制御方法に係る処理について、説明する。
【００５０】
本実施形態に係る制御装置は、本実施形態に係る制御方法に係る処理として、例えば下記の（１）の処理（判定処理）および（２）の処理（制御処理）を行う。
【００５１】
（１）判定処理
上述したように、本実施形態に係る制御装置は、検出装置が備える脈波の検出に係る構成を利用して、検出装置の装着状態を判定する。
【００５２】
本実施形態に係る脈波の検出に係る構成としては、光源と、光源からの距離が異なる複数の受光素子とが、挙げられる。
【００５３】
本実施形態に係る光源としては、例えば、ＬＥＤや、レーザー光源などが挙げられる。なお、光源は、上記に示す例に限られず、光を発することが可能な任意の素子（または任意の回路）であってもよい。以下では、本実施形態に係る光源が、ＬＥＤである場合を例に挙げる。
【００５４】
光源が発する光としては、例えば、緑、赤、近赤外などの様々な波長の光が、挙げられる。
【００５５】
また、脈波の検出に係る構成には、複数の光源が含まれていてもよい。複数の光源が発する光の色（光の波長）は、同一の色（同一の波長）であってもよいし、異なる色（異なる波長）が含まれていてもよい。
【００５６】
本実施形態に係る受光素子としては、例えば、ＰＤや、フォトトランジスタ、ＣＣＤ（Charge  Coupled  Device）などが挙げられる。なお、受光素子は、上記に示す例に限られず、入射された光の強度に応じた信号を出力することが可能な任意の素子（または任意の回路）であってもよい。また、複数の受光素子は、例えば同種の特性を有する。以下では、本実施形態に係る受光素子が、ＰＤである場合を例に挙げる。
【００５７】
図１は、本実施形態に係る脈波の検出に係る構成の一例を示す説明図である。図１のＡ〜図１のＥは、光源と、複数の受光素子との配置関係の例をそれぞれ示している。図１では、光源の一例としてＬＥＤを示しており、受光素子の一例としてＰＤを示している。
【００５８】
図１に示すように、本実施形態に係る脈波の検出に係る構成では、複数の受光素子が含まれ、光源と受光素子との間の距離が異なる光源および受光素子の組み合わせが、少なくとも２以上含まれる。
【００５９】
図１のＡは、４つの受光素子が含まれ、それぞれの受光素子と光源との距離が、全て異なる配置関係の一例を示している。また、図１のＢは、２つの受光素子が含まれ、それぞれの受光素子と光源との距離が、互いに異なる配置関係の一例を示している。
【００６０】
また、脈波の検出に係る構成は、光源と受光素子との間の距離が異なる光源および受光素子の組み合わせが２以上含まれるという条件が満たされていれば、光源と複数の受光素子とは、図１のＣ、図１のＤに示すように、様々な配置関係をとることが可能である。
【００６１】
例えば、図１のＣに示すように、光源からの距離が同一である受光素子が、複数存在していてもよい。
【００６２】
また、図１のＤに示すように、脈波の検出に係る構成は、光源からみて受光素子が設けられる方向が異なっていてもよい。なお、図１のＤでは、２つの受光素子が光源を挟み込むように配置されている例を示しているが、光源からみて複数の受光素子が「く」の字型に配置されるなど、光源からみて受光素子が設けられる方向が異なる任意の配置関係であってもよい。
【００６３】
また、図１のＥに示すように、脈波の検出に係る構成は、複数の光源を有していてもよい。
【００６４】
本実施形態に係る脈波の検出に係る構成としては、例えば図１に示すような、光源と、光源からの距離が異なる複数の受光素子とが、挙げられる。なお、本実施形態に係る脈波の検出に係る構成の例が、図１に示す例に限られないことは、言うまでもない。
【００６５】
次に、本実施形態に係る脈波の検出に係る構成を利用した装着状態の判定の原理を説明する。
【００６６】
図２は、本実施形態に係る脈波の検出に係る構成を利用した装着状態の判定の原理を説明するための説明図である。図２は、検出装置が人体（脈波の検出対象である生体の一例。以下、同様とする。）に装着されていない場合と、検出装置が人体に装着されている場合とにおける、光経路の変化を示している。図２のＡは、検出装置が人体に装着されていない場合（すなわち、検出装置と人体との位置関係が、ＰＰＧを用いて脈波を検出することが可能な位置関係にない場合）を示している。また、図２のＢは、検出装置が人体に装着されている場合（すなわち、検出装置と人体との位置関係が、ＰＰＧを用いて脈波を検出することが可能な位置関係にある場合）を示している。
【００６７】
図２では、光源としてＬＥＤを示しており、受光素子としてＰＤを示している。また、図２では、ＬＥＤとの距離が異なる４つのＰＤを示している。
【００６８】
検出装置が人体に装着されていない場合には、図２のＡに示すように、ＬＥＤから放射された光は、空間に放射されるのみであり、ＰＤには入射しない。よって、検出装置が人体に装着されていない場合にＰＤにおいて受光される光は、ＬＥＤ以外の環境に存在する光源による外光成分のみとなる。
【００６９】
このとき、検出装置が備える複数のＰＤそれぞれの間の距離は、検出装置が備える複数のＰＤそれぞれと環境に存在する光源との間の距離よりも、十分に小さいとみなすことが可能である。よって、検出装置が備える複数のＰＤそれぞれから受光に応じて出力される信号（光の強度を示す信号）には、複数のＰＤそれぞれと環境に存在する光源との間における相対的な方向差、および距離差に起因する差は、発生していないとみなすことができる。
【００７０】
したがって、検出装置が人体に装着されていない場合には、検出装置が備える複数のＰＤそれぞれから受光に応じて出力される信号が示す値は、ほぼ同じ値となる。
【００７１】
ここで、ＰＤ（受光素子の一例）から受光に応じて出力される信号が示す値とは、ＰＤに入射された光の強度を示す値である。また、ＰＤから受光に応じて出力される信号が示す値は、例えば、ＰＤから受光に応じて出力される信号が、増幅回路によって増幅された信号が示す値であってもよい。以下では、受光素子から受光に応じて出力される信号が示す値、または、当該信号が増幅された信号が示す値を、「受光素子から受光に応じて出力される信号に対応する検出値」、または、単に「検出値」と示す。
【００７２】
つまり、検出装置が人体に装着されていない場合、ＬＥＤからの距離が近いＰＤに入射した光強度に対応する検出値に対する、ＬＥＤからの距離がより遠いＰＤに入射した光強度に対応する検出値の比率は、“１”（または、“１”とみなせる値）となる。
【００７３】
一方、検出装置が人体に装着されている場合には、図２のＢに示すように、環境に存在する光源による外光は、人体組織に妨害されてＰＤには届かない。
【００７４】
また、検出装置が人体に装着されている場合、ＬＥＤから放射された光は、人体組織内を散乱しながら進みＰＤに入射する。このとき、散乱の過程で光の一部が人体組織に吸収されるため、複数のＰＤそれぞれにおいて受光される光は、ＬＥＤからの距離に応じて減衰することとなる。
【００７５】
図２に示す脈波の検出に係る構成では、受光素子であるＰＤと光源であるＬＥＤとの距離が、ＰＤによって異なっている。よって、検出装置が人体に装着されている場合、図２に示す脈波の検出に係る構成では、ＰＤそれぞれに入射する光の強度は、ＬＥＤからの距離が遠いＰＤほど弱くなる。つまり、検出装置が人体に装着されている場合、図２に示す脈波の検出に係る構成では、ＬＥＤからの距離が近いＰＤに入射した光強度に対応する検出値に対する、ＬＥＤからの距離がより遠いＰＤに入射した光強度に対応する検出値の比率は、“１”よりも小さい値（“１”とみなすことができない程小さい値）となる。
【００７６】
本実施形態に係る制御装置は、図２を参照して示したように、“検出装置が生体に装着されている場合と検出装置が生体に装着されていない場合とで、受光素子それぞれから受光に応じて出力される信号に対応する複数の検出値が、異なること”を利用することによって、検出装置の装着状態を判定する。
【００７７】
つまり、本実施形態に係る制御装置は、光源からの距離が異なる複数の受光素子それぞれから受光に応じて出力される信号に対応する、複数の検出値に基づいて、検出装置の装着状態を判定する。
【００７８】
（２）制御処理
本実施形態に係る制御装置は、上記（１）の処理（判定処理）における装着状態の判定結果に基づいて、検出装置の脈波の検出に関する動作を制御する。
【００７９】
本実施形態に係る制御装置は、脈波の検出に関する動作の制御として、例えば、上記（Ａ）に示す“光源の発光制御”と、上記（Ｂ）に示す“検出装置が備える脈波の検出に係る回路への電力の供給の制御”との一方または双方を行う。
【００８０】
本実施形態に係る制御装置は、本実施形態に係る制御方法に係る処理として、例えば上記（１）の処理（判定処理）および上記（２）の処理（制御処理）を行う。
【００８１】
本実施形態に係る制御装置は、上記（２）の処理（制御処理）において、上記（１）の処理（判定処理）における装着状態の判定結果に基づいて、検出装置の脈波の検出に関する動作を制御する。
【００８２】
ここで、上記（１）の処理（判定処理）における装着状態の判定結果に基づいて検出装置の動作が制御されることによって、検出装置が装着されていない状態における脈波の検出に係る消費電力を、検出装置が装着されている状態における脈波の検出に係る消費電力よりも、少なくすることができる。
【００８３】
したがって、本実施形態に係る制御装置は、本実施形態に係る制御方法に係る処理を行うことによって、脈波の検出に係る消費電力の低減を図ることができる。
【００８４】
また、本実施形態に係る制御装置は、上記（２）の処理（制御処理）において、例えば、装着状態の判定結果に基づいて、光源の発光制御と、脈波の検出に係る回路への電力の供給の制御との一方または双方を行う。よって、検出装置では、例えば、本実施形態に係る制御装置における装着状態の判定結果に応じた、自動的な光源の発光頻度の切り替えが、実現される。したがって、本実施形態に係る制御方法に係る処理が行われることによって、検出装置を用いる利用者の利便性を高めることができる。
【００８５】
また、本実施形態に係る制御装置は、上記（１）の処理（判定処理）において、検出装置が備える脈波の検出に係る構成を利用して、検出装置の装着状態を判定する。そのため、本実施形態に係る制御方法が用いられる場合には、赤外線センサなどの検出装置への生体の接触を検出するためのセンサを、検出装置に設ける必要はない。
【００８６】
よって、本実施形態に係る制御方法が用いられる場合には、赤外線センサなどの検出装置への生体の接触を検出するためのセンサを検出装置に設けるときよりも、検出装置の低コスト化を図ることができうる。また、本実施形態に係る制御方法が用いられる場合には、赤外線センサなどの検出装置への生体の接触を検出するためのセンサを検出装置に設けるときよりも、検出装置の小型化を図ることが可能となる。
【００８７】
また、本実施形態に係る制御装置は、検出装置が備える脈波の検出に係る構成を利用して、検出装置の装着状態を判定するので、外光や水などの異物による装着状態の誤検出は、生じない。
【００８８】
よって、本実施形態に係る制御装置は、“検出装置への生体の接触を検出するためのセンサを検出装置に設けることにより、検出装置における装着状態を判定する方法”が用いられる場合よりも、より正確に装着状態を判定することができる。また、より正確に装着状態を判定することが可能であるので、本実施形態に係る制御装置は、“検出装置への生体の接触を検出するためのセンサを検出装置に設けることにより、検出装置における装着状態を判定する方法”が用いられる場合よりも、脈波の検出に係る消費電力の低減を図ることができ、検出装置を用いる利用者の利便性を高めることができる。
【００８９】
なお、“上記（１）の処理（判定処理）および上記（２）の処理（制御処理）”は、便宜上、本実施形態に係る制御方法に係る処理を切り分けたものである。よって、本実施形態に係る制御方法に係る処理は、例えば“上記（１）の処理（判定処理）および上記（２）の処理（制御処理）”を、１つの処理と捉えることが可能である。また、本実施形態に係る制御方法に係る処理は、例えば“上記（１）の処理（判定処理）および上記（２）の処理（制御処理）”を、（任意の切り分け方によって）２以上の処理と捉えることも可能である。
【００９０】
（本実施形態に係る検出装置、制御装置）
次に、上述した本実施形態に係る制御方法に係る処理を行うことが可能な装置の構成の一例を説明する。以下では、本実施形態に係る制御方法に係る処理を行うことが可能な装置の構成の一例として、ＰＰＧを用いて脈波を検出する本実施形態に係る検出装置の構成を、主に説明する。
【００９１】
［Ｉ］本実施形態に係る検出装置
図３は、本実施形態に係る検出装置１００の構成の一例を説明するためのブロック図である。検出装置１００は、例えば、発光部１０２と、受光部１０４と、制御部１０６と、スイッチ部１０８Ａ、１０８Ｂと、発光制御回路１１０と、増幅・測定回路１１２と、脈波検出回路１１４と、電源１１６とを備える。
【００９２】
また、検出装置１００は、例えば、ＲＯＭ（Read  Only  Memory。図示せず）や、ＲＡＭ（Random  Access  Memory。図示せず）、記憶部（図示せず）、通信部（図示せず）、検出装置１００の使用者が操作可能な操作部（図示せず）、様々な画面を表示画面に表示する表示部（図示せず）などのうちの１または２以上を備えていてもよい。検出装置１００は、例えば、データの伝送路としてのバスにより上記各構成要素間を接続する。また、検出装置１００は、例えば、検出装置１００が備えている電源１１６から供給される電力、または、接続されている外部電源から供給される電力などによって、駆動する。
【００９３】
ＲＯＭ（図示せず）は、制御部１０６が使用するプログラムや演算パラメータなどの制御用データを記憶する。ＲＡＭ（図示せず）は、制御部１０６により実行されるプログラムなどを一時的に記憶する。
【００９４】
記憶部（図示せず）は、検出装置１００が備える記憶手段であり、例えば、各種アプリケーションなどの様々なデータを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、検出装置１００から着脱可能であってもよい。
【００９５】
通信部（図示せず）は、検出装置１００が備える通信手段であり、ネットワークを介して（あるいは、直接的に）、外部装置と無線または有線で通信を行う。通信部（図示せず）を構成する通信デバイスとしては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）などが挙げられる。
【００９６】
操作部（図示せず）は、例えば操作入力デバイスで構成される。操作入力デバイスとしては、例えば、ボタンや、方向キー、ジョグダイヤルなどの回転型セレクタ、あるいは、これらの組み合わせなどが挙げられる。
【００９７】
また、表示部（図示せず）は、例えば表示デバイスで構成される。表示デバイスとしては、例えば、液晶ディスプレイ（Liquid  Crystal  Display）や有機ＥＬディスプレイ（Organic  Electro-Luminescence  Display。または、ＯＬＥＤディスプレイ（Organic  Light  Emitting  Diode  Display）ともよばれる。）などが挙げられる。また、表示デバイスは、例えばタッチパネルなど、表示と操作とが可能なデバイスであってもよい。
【００９８】
発光部１０２は、１または２以上の光源を有する。光源としては、例えばＬＥＤなどが挙げられる。
【００９９】
受光部１０４は、光源からの距離が異なる複数の受光素子を有する。受光素子としては、例えばフォトダイオードなどが挙げられる。
【０１００】
制御部１０６は、検出装置１００全体を制御する。
【０１０１】
また、制御部１０６は、例えば、判定部１２０と、動作制御部１２２とを有し、本実施形態に係る制御方法に係る処理を主導的に行う役目を果たす。
【０１０２】
制御部１０６は、例えば、ＭＰＵ（Micro  Processing  Unit）、ＣＰＵ（Central  Processing  Unit）、ＤＳＰ（Digital  Signal  Processor）などの演算回路で構成される、１または２以上のプロセッサや、各種処理回路などで構成される。上記プロセッサでは、例えば、ソフトウェアを実行することによって、任意の処理が行われる。なお、後述する判定部１２０と動作制御部１２２との一方または双方は、各部の処理を実現可能な専用の（または汎用の）回路で実現されてもよい。
【０１０３】
判定部１２０は、上記（１）の処理（判定処理）を行う役目を果たし、検出装置の装着状態を判定する。図３では、判定部１２０が、増幅・測定回路１１２から伝達される検出値に基づいて、検出装置の装着状態を判定する例を示している。
【０１０４】
例えば、判定部１２０は、光源からの距離が異なる、少なくとも２つ以上の受光素子それぞれに対応する、複数の検出値に基づいて、装着状態を判定するための判定値を算出する。
【０１０５】
一例を挙げると、判定部１２０は、複数の受光素子の中から、光源からの距離が異なる２つの受光素子を任意に選択する。そして、判定部１２０は、例えば下記の数式１に示すように、選択された２つの受光素子それぞれに対応する２つの検出値の比率を算出し、算出された比率を判定値とする。
【０１０６】
検出値の比率＝（光源からの距離が遠い側の受光素子に対応する検出値）／（光源からの距離が近い側の受光素子に対応する検出値）
・・・（数式１）
【０１０７】
他の例を挙げると、判定部１２０は、例えば、複数の受光素子の中から、光源からの距離が異なる３つ以上の受光素子を任意に選択する。そして、判定部１２０は、例えば、選択された３つ以上の受光素子それぞれに対応する３つ以上の検出値の傾きを算出し、算出された傾きを判定値とする。判定部１２０は、例えば、光源からの距離順に検出値を並べ、上記検出値の傾きを算出する。
【０１０８】
そして、判定部１２０は、例えば、算出された判定値と所定の閾値とを比較することによって、装着状態を判定する。
【０１０９】
判定値が比率である場合を例に挙げると、上述したように、検出装置が人体に装着されていない場合、検出値の比率は、“１”（または、“１”とみなせる値）となる。また、上述したように、検出装置が人体に装着されている場合、検出値の比率は、“１”よりも小さい値（“１”とみなすことができない程小さい値）となる。また、判定値が上記検出値の傾きである場合を例に挙げると、検出装置が人体に装着されていない場合、検出値の傾きは、“０に近い値”となる。
【０１１０】
図４は、本実施形態に係る所定の閾値の一例を説明するための説明図である。図４は、１つのＬＥＤ（光源の一例）と、ＬＥＤからの距離が異なる２つのＰＤ（受光素子の一例）とを備える検出装置について、装着の有無を変えながら２つのＰＤで測定された信号の強度比（検出値の比率）を測定したグラフの一例を示している。図４では、“装着”と示された期間が、上記検出装置が装着されている期間を示しており、“解放”と示された期間が、上記検出装置が装着されていない期間を示している。
【０１１１】
図４に示すように、検出装置の装着の有無により比率は大きく変動し、図４に示す例では０．６〜０．７程度の値を閾値とすれば、検出装置の装着の有無を明確に判定できることが分かる。
【０１１２】
判定部１２０は、例えば図４に示す例において設定される閾値のように、検出装置１００の装着の有無を明確に判定することが可能な値を閾値として、閾値処理を行うことによって、装着状態を判定する。
【０１１３】
なお、本実施形態に係る所定の閾値の例が、０．６〜０．７程度の値に限られないことは、言うまでもない。また、本実施形態に係る所定の閾値は、固定値であってもよいし、検出装置１００の使用者などの操作に基づいて変更可能な可変値であってもよい。
【０１１４】
動作制御部１２２は、上記（２）の処理（制御処理）を行う役目を果たし、判定部１２０における装着状態の判定結果に基づいて、検出装置の脈波の検出に関する動作を制御する。
【０１１５】
例えば、動作制御部１２２は、装着状態の判定結果に基づいて、検出装置１００が備える光源の発光を制御する。
【０１１６】
具体的には、動作制御部１２２は、例えば、判定された装着状態が、検出装置１００が装着されている状態である場合と、検出装置１００が装着されていない状態である場合とで、光源の発光頻度を変えさせる。判定された装着状態に基づく光源の発光頻度の変更に係る具体例については、後述する。
【０１１７】
また、動作制御部１２２は、例えば、装着状態の判定結果に基づいて、検出装置１００が備える脈波の検出に係る回路への電力の供給を制御する。ここで、図３に示す構成例では、発光制御回路１１０、増幅・測定回路１１２、および脈波検出回路１１４が、脈波の検出に係る回路に該当する。
【０１１８】
具体的には、動作制御部１２２は、例えば、スイッチ部１０８Ａ、１０８Ｂを構成するスイッチング回路（後述する）それぞれに対して、スイッチング回路を制御する制御信号を印加し、スイッチング回路のオン状態、オフ状態を制御することによって、脈波の検出に係る回路それぞれへの電力の供給を制御する。
【０１１９】
例えば、あるスイッチング回路がオフ状態である場合、オフ状態の当該スイッチング回路に対応する脈波の検出に係る回路への電力の供給が、遮断される。このとき、オフ状態の当該スイッチング回路に対応する脈波の検出に係る回路は、電力を消費しない。また、例えば、あるスイッチング回路がオン状態である場合、オン状態の当該スイッチング回路に対応する脈波の検出に係る回路への電力の供給が行われる。
【０１２０】
制御部１０６は、例えば判定部１２０および動作制御部１２２を有することによって、本実施形態に係る制御方法に係る処理（例えば、上記（１）の処理（判定処理）、および上記（２）の処理（制御処理））を主導的に行う。
【０１２１】
スイッチ部１０８Ａ、１０８Ｂは、下記のように脈波の検出に係る回路それぞれに対応するスイッチング回路ＳＷ１、ＳＷ２、ＳＷ３で構成される。
・スイッチング回路ＳＷ１：発光制御回路１１０（脈波の検出に係る回路の一例）に対応するスイッチング回路
・スイッチング回路ＳＷ２：増幅・測定回路１１２（脈波の検出に係る回路の一例）に対応するスイッチング回路
・スイッチング回路ＳＷ２：脈波検出回路１１４（脈波の検出に係る回路の一例）に対応するスイッチング回路
【０１２２】
スイッチング回路ＳＷ１、ＳＷ２、ＳＷ３は、例えば、スイッチングトランジスタで構成され、印加される制御信号の信号レベル（電圧レベル）に応じてオン状態（導通状態）またはオフ状態（非導通状態）となる。
【０１２３】
スイッチングトランジスタとしては、例えば、バイポーラトランジスタや、ＴＦＴ（Thin  Film  Transistor）やＭＯＳＦＥＴ（Metal-Oxide-Semiconductor Field  Effect  Transistor）などのＦＥＴ（Field-Effect  Transistor）が挙げられる。なお、スイッチング回路ＳＷ１、ＳＷ２、ＳＷ３は、スイッチングトランジスタに限られず、オン状態とオフ状態とを切り替えることが可能な任意の素子（または回路）であってもよい。
【０１２４】
発光制御回路１１０は、検出装置１００が備える脈波の検出に係る回路であり、検出値の取得に係る回路の一例に該当する。発光制御回路１１０としては、例えばＰＷＭ（Pulse Width Modulation）制御を使用したパルス発光回路が挙げられる。なお、例えば、制御部１０６などの検出装置１００の他の構成要素が、発光制御回路１１０と同様の機能を有する回路を備える場合には、本実施形態に係る検出装置は、発光制御回路１１０を備えていなくてもよい。
【０１２５】
増幅・測定回路１１２は、例えば、検出装置１００が備える脈波の検出に係る回路であり、検出値の取得に係る回路の他の例に該当する。増幅・測定回路１１２は、例えば、増幅回路と、測定回路とを有する。増幅・測定回路１１２を構成する増幅回路、および測定回路それぞれは、複数の受光素子それぞれから出力される信号を、それぞれ処理する能力を有する。
【０１２６】
増幅・測定回路１１２を構成する増幅回路としては、例えばオペアンプなどの、受光素子から出力される信号を増幅することが可能な任意の増幅回路が、挙げられる。なお、増幅・測定回路１１２は、増幅回路を備えない構成であってもよい。
【０１２７】
また、増幅・測定回路１１２を構成する測定回路としては、例えば、受光素子から出力される信号、または、増幅回路により増幅された信号を、積分して強度を測定する回路が挙げられる。図３に示す構成例では、増幅・測定回路１１２を構成する測定回路によって、複数の受光素子それぞれに対応する検出値が得られる。なお、例えば、制御部１０６などの検出装置１００の他の構成要素が、発光制御回路１１０と同様の機能を有する回路を備える場合には、本実施形態に係る検出装置は、発光制御回路１１０を備えていなくてもよい。
【０１２８】
脈波検出回路１１４は、複数の検出値に基づいて脈波を検出する回路である。脈波検出回路１１４は、検出装置１００において、複数の検出値に基づいて、脈波を検出する脈波検出部として機能する。
【０１２９】
脈波検出回路１１４には、例えば、複数の受光素子それぞれに対応する検出値を示す、複数の信号、または、複数の検出値に対応する１つの信号が入力され、脈波検出回路１１４は、入力された信号を処理する。上記複数の検出値に対応する１つの信号としては、例えば、複数の検出値が合算された信号や、複数の検出値の平均値を示す信号とが挙げられる。
【０１３０】
脈波検出回路１１４は、例えば、複数の検出値それぞれが示す光の強度値の変化に基づいて、１分間などの所定の期間における脈拍数を算出する機能を実現可能な、任意の構成の回路で構成される。なお、例えば、制御部１０６などの検出装置１００の他の構成要素が、脈波検出回路１１４と同様の機能を有する回路を備える場合には、本実施形態に係る検出装置は、脈波検出回路１１４を備えていなくてもよい。
【０１３１】
電源１１６は、検出装置１００が備える内部電源である。電源１１６としては、例えば、二次電池などで構成されるバッテリなどが、挙げられる。なお、本実施形態に係る検出装置が外部電源で動作する場合には、本実施形態に係る検出装置は、電源１１６を備えていなくてもよい。
【０１３２】
検出装置１００は、例えば図３に示す構成によって、本実施形態に係る制御方法に係る処理（例えば、上記（１）の処理（判定処理）、および上記（２）の処理（制御処理））を行う。
【０１３３】
したがって、検出装置１００は、例えば図３に示す構成によって、脈波の検出に係る消費電力の低減を図ることができる。
【０１３４】
また、例えば図３に示す構成によって、検出装置１００は、上述したような本実施形態に係る制御方法に係る処理が行われることにより奏される効果を、奏することができる。
【０１３５】
なお、本実施形態に係る検出装置の構成は、図３に示す構成に限られない。
【０１３６】
例えば、本実施形態に係る検出装置は、図３に示す判定部１２０、および動作制御部１２２の一方または双方を、制御部１０６とは個別に備える（例えば、別の処理回路で実現する）ことができる。
【０１３７】
また、上述したように、上記（１）の処理（判定処理）、および上記（２）の処理（制御処理）は、便宜上、本実施形態に係る制御方法に係る処理を切り分けたものである。よって、本実施形態に係る制御方法に係る処理を実現するための構成は、図３に示す判定部１２０、および動作制御部１２２に限られず、本実施形態に係る制御方法に係る処理の切り分け方に応じた構成をとることが可能である。
【０１３８】
また、本実施形態に係る検出装置は、例えば、後述する検出装置の適用例に応じた構成をとることが可能である。
【０１３９】
図５は、本実施形態に係る制御方法に係る処理の一例を示す流れ図である。図５は、図３に示す検出装置１００における処理の一例を示している。
【０１４０】
検出装置１００は、脈波の検出に係る電源をオン状態にする（Ｓ１００）。ステップＳ１００では、例えば、制御部１０６が、スイッチ部１０８Ａ、１０８Ｂを構成するスイッチング回路ＳＷ１、ＳＷ２、ＳＷ３に対して、オン状態とさせる制御信号を伝達することによって、脈波の検出に係る電源がオン状態にされる。また、ステップＳ１００によって、発光制御回路１１０（脈波の検出に係る回路の一例。以下、同様とする。）、増幅・測定回路１１２（脈波の検出に係る回路の一例。以下、同様とする。）、および脈波検出回路１１４（脈波の検出に係る回路の一例。以下、同様とする。）に電力が供給される。
【０１４１】
なお、ステップＳ１００の処理は、脈波の検出を行う前に、検出装置１００の装着状態を判定するために行われる処理である。そのため、ステップＳ１００では、制御部１０６が、スイッチ部１０８Ｂを構成するスイッチング回路ＳＷ３に対して、オン状態とさせる制御信号を伝達せず、脈波検出回路１１４に電力を供給させなくてもよい。
【０１４２】
検出装置１００は、発光素子を１パルス発光させ、受光素子から出力される信号に基づき受光された光の強度を測定する（Ｓ１０２）。ステップＳ１０２では、発光制御回路１１０の制御により発光素子が１パルス発光され、増幅・測定回路１１２により受光素子それぞれに対応する検出値が得られる。
【０１４３】
検出装置１００は、脈波の検出に係る電源をオフ状態にする（Ｓ１０４）。ステップＳ１０４では、例えば、制御部１０６が、スイッチ部１０８Ａ、１０８Ｂを構成するスイッチング回路ＳＷ１、ＳＷ２、ＳＷ３に対して、オフ状態とさせる制御信号を伝達することによって、脈波の検出に係る電源がオフ状態にされる。また、ステップＳ１０４によって、例えば、発光制御回路１１０、増幅・測定回路１１２、および脈波検出回路１１４への電力の供給が遮断される。
【０１４４】
検出装置１００は、ステップＳ１０２により得られた検出値に基づく強度比（判定値の一例。以下、同様とする。）が設定されている閾値以上であるか否かを判定する（Ｓ１０６）。また、ステップＳ１０６において、検出装置１００は、強度比が設定されている閾値より大きいか否かを判定することも可能である。ステップＳ１０６の処理は、例えば制御部１０６により行われる。また、ステップＳ１０６の処理は、検出装置１００の装着状態を判定する処理に該当する。
【０１４５】
ここで、ステップＳ１０６において強度比が設定されている閾値以上であると判定された場合は、検出装置１００が装着されていない状態である場合に該当する。また、ステップＳ１０６において強度比が設定されている閾値以上であると判定されない場合は、検出装置１００が装着されている状態である場合に該当する。
【０１４６】
ステップＳ１０６において強度比が設定されている閾値以上であると判定された場合には、検出装置１００は、設定されている第１待機時間待機する（Ｓ１０８）。そして、検出装置１００は、ステップＳ１００からの処理を繰り返す。
【０１４７】
ここで、本実施形態に係る第１待機時間としては、例えば、数秒〜数分が挙げられる。第１待機時間は、予め設定される固定の期間であってもよいし、検出装置１００の使用者などの操作に基づいて変更可能な可変の期間であってもよい。
【０１４８】
また、ステップＳ１０６において強度比が設定されている閾値以上であると判定されない場合には、検出装置１００は、ステップＳ１００と同様に、脈波の検出に係る電源をオン状態にする（Ｓ１１０）。
【０１４９】
なお、ステップＳ１１０の処理は、脈波の検出を行うために行われる処理である。そのため、ステップＳ１１０では、制御部１０６が、スイッチ部１０８Ａ、１０８Ｂを構成するスイッチング回路ＳＷ１、ＳＷ２、ＳＷ３に対して、オン状態とさせる制御信号を伝達することによって、脈波の検出に係る回路それぞれに対して電力が供給される。
【０１５０】
ステップＳ１１０の処理が行われると、検出装置１００は、ステップＳ１０２と同様に、受光素子から出力される信号に基づき受光された光の強度を測定する（Ｓ１１２）。
【０１５１】
検出装置１００は、ステップＳ１０６と同様に、ステップＳ１１２により得られた検出値に基づく強度比が設定されている閾値以上であるか否かを判定する（Ｓ１１４）。また、ステップＳ１１４において、検出装置１００は、強度比が設定されている閾値より大きいか否かを判定することも可能である。ステップＳ１１４の処理は、検出装置１００の装着状態を判定する処理に該当する。
【０１５２】
ここで、ステップＳ１１４における閾値、およびステップＳ１０６における閾値としては、例えば、同一の値が挙げられる。なお、ステップＳ１１４における閾値は、ステップＳ１０６における閾値よりも大きい値であってもよい。ステップＳ１１４における閾値を、ステップＳ１０６における閾値よりも大きい値とすることによって、検出装置１００の装着状態に係る判定の安定性を、より高めることが可能となる。
【０１５３】
ステップＳ１１４において強度比が設定されている閾値以上であると判定された場合には、検出装置１００は、ステップＳ１０４と同様に、脈波の検出に係る電源をオフ状態にする（Ｓ１１８）。そして、検出装置１００は、ステップＳ１０８からの処理を繰り返す。
【０１５４】
また、ステップＳ１１４において強度比が設定されている閾値以上であると判定されない場合には、検出装置１００は、設定されている第２待機時間（ただし、第２待機時間＜第１待機時間）待機する（Ｓ１１６）。そして、検出装置１００は、ステップＳ１１２からの処理を繰り返す。
【０１５５】
ここで、本実施形態に係る第２待機時間としては、例えば、数ミリ秒〜数十ミリ秒が挙げられる。第２待機時間は、予め設定される固定の期間であってもよいし、検出装置１００の使用者などの操作に基づいて変更可能な可変の期間であってもよい。
【０１５６】
ステップＳ１１２、Ｓ１１４、およびＳ１１６の処理が繰り返されることによって、検出装置１００では、例えば、“検出装置１００が装着されている状態における、１秒間に１０回〜１０００回程度の連続的な脈波の検出”が実現される。
【０１５７】
検出装置１００は、例えば図５に示す処理を行うことによって、検出装置１００が装着されていると判定されたときに脈波を検出することができる。また、検出装置１００は、例えば図５に示す処理を行うことによって、検出装置１００が装着されていると判定されない場合には、脈波の検出が行われず、脈波の検出に係る回路への電力の供給が遮断される。
【０１５８】
よって、検出装置１００は、例えば図５に示す処理を行うことによって、脈波の検出に係る消費電力の低減を図ることができる。
【０１５９】
なお、検出装置１００における本実施形態に係る制御方法に係る処理は、図５に示す例に限られない。
【０１６０】
例えば、検出装置１００は、図５のステップＳ１１２において、検出装置１００の振動などにより受光素子において不意の外光が検出されることや、受光素子から出力される信号にノイズが含まれることなどによって、脈波の誤検出がされないように、数パルス分を測定してもよい。また、ステップＳ１１２において数パルス分が測定される場合には、検出装置１００は、図５のステップＳ１１４において、設定されている回数連続して、強度比が設定されている閾値以上であると判定された場合に、検出装置１００が装着されていない状態であると判定する。
【０１６１】
上記のような変形例に係る処理を行うことによって、検出装置１００は、不意の外光の影響やノイズの影響を低減し、本実施形態に係る制御方法に係る処理が行われることにより奏される効果を、より高めることができる。
【０１６２】
［ＩＩ］本実施形態に係る制御装置
本実施形態に係る制御方法を適用することが可能な装置は、図３に示すような検出装置に限られない。上述したように、本実施形態に係る制御方法に係る処理は、本実施形態に係る制御装置において行われてもよい。
【０１６３】
例えば、本実施形態に係る制御装置における制御対象の検出装置が、本実施形態に係る制御装置である場合、本実施形態に係る制御装置は、図３に示す検出装置１００と同様の構成（変形例に係る構成も含む。）を有する。
【０１６４】
また、本実施形態に係る制御装置における制御対象の検出装置が、外部の検出装置である場合、本実施形態に係る制御装置は、例えば、図３に示す制御部１０６と同様の機能を有する装置として実現される。上記の場合、本実施形態に係る制御装置は、例えば、ＭＰＵなどの演算回路で構成される、１または２以上のプロセッサや、各種処理回路などを備え、プロセッサや処理回路によって、本実施形態に係る制御方法に係る処理を行う。
【０１６５】
より具体的には、本実施形態に係る制御装置は、例えば図３と同様の構成を有する外部の検出装置から、複数の検出値を示すデータを、備えている通信デバイスまたは接続されている外部の通信デバイスを介した任意の有線通信または無線通信によって、取得する。
【０１６６】
そして、本実施形態に係る制御装置は、取得された複数の検出値を示すデータに基づいて、上記（１）の処理（判定処理）を行い、外部の検出装置の装着状態を判定する。
【０１６７】
また、本実施形態に係る制御装置は、例えば、上記（１）の処理（判定処理）による、外部の検出装置の装着状態の判定結果に基づいて、上記（２）の処理（制御処理）を行い、外部の検出装置の脈波の検出に関する動作を制御する。本実施形態に係る制御装置は、例えば、装着状態の判定結果に応じた制御信号を外部の検出装置に対して送信することによって、外部の検出装置の脈波の検出に関する動作を制御する。上記制御信号の送信は、例えば、備えている通信デバイスまたは接続されている外部の通信デバイスを介した任意の有線通信または無線通信によって、行われる。
【０１６８】
なお、本実施形態に係る制御装置の構成は、上記に示す例に限られない。例えば、本実施形態に係る制御装置は、後述する制御装置の適用例に応じた構成をとることが可能である。
【０１６９】
［ＩＩＩ］本実施形態に係る制御方法が用いられることにより奏される効果の一例
本実施形態に係る検出装置、または本実施形態に係る制御装置が、本実施形態に係る制御方法に係る処理を行うことによって、例えば下記に示す効果が奏される。なお、本実施形態に係る制御方法が用いられることにより奏される効果が、下記に示す効果に限られないことは、言うまでもない。
・ＰＰＧを用いて脈波を検出する検出装置では、検出装置の装着状態の判定結果に応じて、自動的に光源の点灯の頻度が切り替えられる。よって、検出装置の使用者の利便性を向上させることができる。
・赤外線センサなどの検出装置への生体の接触を検出するためのセンサを、検出装置に設けることはく、検出装置の装着判定を行うことが可能である。よって、検出装置のコストの低減を図ることができる。
・赤外線センサなどの検出装置への生体の接触を検出するためのセンサを、検出装置に設けることはく、検出装置の装着判定を行うことが可能である。よって、検出装置の小型化をより容易に図ることができる。
・例えば図５に示すように、連続的な脈波の検出に係る待機時間（上記第２待機時間が該当する。）よりも長い待機時間（上記第１待機時間が該当する。）ごとに、１パルス光源を点灯させるだけで、検出装置の装着判定を行うことができる。よって、検出装置における消費電力を、極めて低くすることができる。
・外光や水などの異物では、検出装置が装着されている状態であると判定されないので、検出装置の装着状態の誤検出による利便性の低下や、当該誤検出による無駄な消費電力の発生を、防止することができる。
【０１７０】
以上、本実施形態にとして、検出装置を挙げて説明したが、本実施形態は、かかる形態に限られない。本実施形態は、例えば、“アイウェア型の装置、時計型の装置、腕輪型の装置などのような使用者の身体に装着して用いられる任意のウェアラブル装置”や、“ＰＣ（Personal  Computer）などのコンピュータ”、“スマートフォンなどの通信装置”、
“タブレット型の装置”、“デジタルビデオカメラ、デジタルスチルカメラなどの撮像装置”、“ゲーム機”、“自動車などの移動体”など、本実施形態に係る制御方法に係る処理を行うことが可能であり、かつ、ＰＰＧを用いて脈波を検出する機能を有することが可能な、様々な機器に適用することができる。
【０１７１】
また、本実施形態にとして、制御装置を挙げて説明したが、本実施形態は、かかる形態に限られない。本実施形態は、例えば、“アイウェア型の装置、時計型の装置、腕輪型の装置などのような使用者の身体に装着して用いられる任意のウェアラブル装置”や、“ＰＣなどのコンピュータ”、“スマートフォンなどの通信装置”、
“タブレット型の装置”、“デジタルビデオカメラ、デジタルスチルカメラなどの撮像装置”、“ゲーム機”、“自動車などの移動体”など、本実施形態に係る制御方法に係る処理を行うことが可能な、様々な機器に適用することができる。また、本実施形態は、例えば、上記のような機器に組み込むことが可能な、処理ＩＣ（Integrated  Circuit）に適用することもできる。
【０１７２】
（本実施形態に係るプログラム）
コンピュータを、本実施形態に係る検出装置または本実施形態に係る制御装置として機能させるためのプログラム（例えば、上記（１）の処理（判定処理）、および上記（２）の処理（制御処理）などの、本実施形態に係る制御方法に係る処理を実行することが可能なプログラム）が、コンピュータにおいてプロセッサなどにより実行されることによって、脈波の検出に係る消費電力の低減を図ることができる。
【０１７３】
また、コンピュータを、本実施形態に係る検出装置または本実施形態に係る制御装置として機能させるためのプログラムが、コンピュータにおいてプロセッサなどにより実行されることによって、上述した本実施形態に係る制御方法に係る処理によって奏される効果を、奏することができる。
【０１７４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７５】
例えば、上記では、コンピュータを、本実施形態に係る検出装置または本実施形態に係る制御装置として機能させるためのプログラム（コンピュータプログラム）が提供されることを示したが、本実施形態は、さらに、上記プログラムを記憶させた記録媒体も併せて提供することができる。
【０１７６】
上述した構成は、本実施形態の一例を示すものであり、当然に、本開示の技術的範囲に属するものである。
【０１７７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１７８】
なお、以下のような構成も本開示の技術的範囲に属する。
（１）
光源からの距離が異なる複数の受光素子それぞれから受光に応じて出力される信号に対応する、複数の検出値に基づいて、前記光源および複数の前記受光素子を備え、脈波を検出する検出装置の装着状態を判定する判定部と、
前記装着状態の判定結果に基づいて、前記検出装置の脈波の検出に関する動作を制御する動作制御部と、
を備える、制御装置。
（２）
前記動作制御部は、前記装着状態の判定結果に基づいて、前記検出装置が備える前記光源の発光を制御する、（１）に記載の制御装置。
（３）
前記動作制御部は、判定された前記装着状態が、前記検出装置が装着されている状態である場合と、前記検出装置が装着されていない状態である場合とで、前記光源の発光頻度を変えさせる、（２）に記載の制御装置。
（４）
前記動作制御部は、前記装着状態の判定結果に基づいて、前記検出装置が備える脈波の検出に係る回路への電力の供給を制御する、（１）〜（３）のいずれか１つに記載の制御装置。
（５）
前記脈波の検出に係る回路は、前記検出値の取得に係る回路を含む、（４）に記載の制御装置。
（６）
前記検出値の取得に係る回路は、前記光源の発光を制御する発光制御回路を含む、（５）に記載の制御装置。
（７）
前記検出値の取得に係る回路は、複数の前記受光素子それぞれから出力される前記信号から、前記検出値を算出する測定回路を含む、（５）、または（６）に記載の制御装置。
（８）
前記検出値の取得に係る回路は、複数の前記受光素子それぞれから出力される前記信号を増幅する増幅回路を含む、（５）〜（７）のいずれか１つに記載の制御装置。
（９）
前記脈波の検出に係る回路は、複数の前記検出値に基づいて脈波を検出する脈波検出回路を含む、（４）〜（８）のいずれか１つに記載の制御装置。
（１０）
前記判定部は、
前記光源からの距離が異なる、少なくとも２つ以上の前記受光素子それぞれに対応する、複数の前記検出値に基づいて、前記装着状態を判定するための判定値を算出し、
算出された前記判定値と所定の閾値とを比較することによって、前記装着状態を判定する、（１）〜（９）のいずれか１つに記載の制御装置。
（１１）
光源を有する発光部と、
前記光源からの距離が異なる複数の受光素子を有する受光部と、
複数の受光素子それぞれから受光に応じて出力される信号に対応する、複数の検出値に基づいて、脈波を検出する脈波検出部と、
複数の前記検出値に基づいて、装着状態を判定する判定部と、
前記装着状態の判定結果に基づいて、脈波の検出に関する動作を制御する動作制御部と、
を備える、検出装置。
（１２）
光源からの距離が異なる複数の受光素子それぞれから受光に応じて出力される信号に対応する、複数の検出値に基づいて、前記光源および複数の前記受光素子を備え、脈波を検出する検出装置の装着状態を判定するステップと、
前記装着状態の判定結果に基づいて、前記検出装置の脈波の検出に関する動作を制御するステップと、
を有する、制御装置により実行される制御方法。
【符号の説明】
【０１７９】
１００    検出装置
１０２    発光部
１０４    受光部
１０６    制御部
１０８Ａ、１０８Ｂ    スイッチ部
１１０    発光制御回路
１１２    増幅・測定回路
１１４    脈波検出回路
１１６    電源
１２０    判定部
１２２      動作制御部
ＳＷ１、ＳＷ２、ＳＷ３    スイッチング回路
【図１】
2017209413.tif 000003
【図２】
2017209413.tif 000004
【図３】
2017209413.tif 000005
【図４】
2017209413.tif 000006
【図５】
2017209413.tif 000007